(57)【要約】  二つの交差箇所で容器と交差する計測放射線の第１及び第２の試験経路に沿った放射線の吸収を決定する、例えばＰＥＴ製のボトル等の容器の壁厚を検出するための方法である。二つの試験経路（２、３）は、各々、ほぼ共通の少なくとも一つの交差箇所（６）を有する。更に、容器の側壁から容器の底領域への移行領域の壁厚を計測する。本発明は、更に、対応する装置に関する。
2009503522.tif 000002
【特許請求の範囲】
【請求項１】
二つの交差箇所で容器と交差する計測放射線の第１及び第２の試験経路に沿った放射線の吸収を決定する、例えばＰＥＴ製のボトル等の容器の壁厚を検出するための方法において、前記二つの試験経路（２、３）は、各々、ほぼ共通の少なくとも一つの交差箇所（６）を有する、ことを特徴とする方法。
【請求項２】
請求項１に記載の方法において、
前記第１試験経路（２）は、前記共通の交差箇所（６）とほぼ同じ高さに第２交差箇所（４）を有する、ことを特徴とする方法。
【請求項３】
請求項１又は２に記載の方法において、
前記第２試験経路（３）は、前記容器（１）の底領域（７）に移行する、前記容器（１）の側壁領域（８）の移行領域（９）に交差箇所（５）を有する、ことを特徴とする方法。
【請求項４】
請求項３に記載の方法において、
前記移行領域（９）の前記壁厚を決定するため、前記共通の交差箇所（６）で検出した壁厚を使用する、ことを特徴とする方法。
【請求項５】
請求項１乃至４のうちのいずれか一項に記載の方法において、
前記二つの試験経路（２、３）は、１５°、２０°、３０°、４０°、４５°、５０°、６０°、７０°、又は８０°以上の角度を形成する、ことを特徴とする方法。
【請求項６】
請求項１乃至５のうちのいずれか一項に記載の方法において、
前記二つの試験経路（２、３）は、８０°、７０°、６０°、５０°、４５°、４０°、３０°、２０°、又は１５°以下の角度を形成する、ことを特徴とする方法。
【請求項７】
請求項１乃至６のうちのいずれか一項に記載の方法において、
前記放射線は、赤外線、可視光、紫外線、テラヘルツ放射線、Ｘ線、放射性放射線、又は他の粒子線等の電磁放射線である、ことを特徴とする方法。
【請求項８】
請求項１乃至７のうちのいずれか一項に記載の方法において、
前記放射線は、二つの異なる波長の電磁放射線等の二つの異なる種類の放射線を含む、ことを特徴とする方法。
【請求項９】
請求項１乃至８のうちのいずれか一項に記載の方法において、
検出された前記壁厚の値を使用して前記容器（１）の製造プロセスを調節及び／又は制御する、ことを特徴とする方法。
【請求項１０】
例えばＰＥＴ製のボトル等の容器の壁厚を検出するための方法において、
前記容器（１）の側壁（８）の、前記容器（１）の底領域（７）への移行領域（９）の壁厚を検出する、ことを特徴とする方法。
【請求項１１】
請求項１０に記載の方法において、
Ｘ線管が発生した５ｋｅＶ以下の低エネルギイオン化放射線を用いた吸収法によって前記壁厚を計測する、ことを特徴とする方法。
【請求項１２】
請求項１乃至１１のうちのいずれか一項に記載の方法において、
検出した容器の壁厚を、製造プロセスで用いられる吹込成形金型及び／又は容器用射出成形用半加工品を吹込成形前に加熱ステーションを通して輸送する保持マンドレルに適用し、必要であれば、半加工品の吹込圧力、延伸速度、温度分布等の製造パラメータを調節する、ことを特徴とする方法。
【請求項１３】
例えばＰＥＴ製のボトル等の容器の壁厚を検出するための装置であって、容器位置と二つの交差箇所で交差する二つの試験経路を提供し、これらの試験経路に沿った計測放射線の吸収を決定できる、装置において、
前記二つの経路（２、３）はほぼ共通の少なくとも一つの交差箇所（６）を有する、ことを特徴とする装置。
【請求項１４】
例えばＰＥＴ製のボトル等の容器の壁厚を検出するための装置において、
容器（１）の側壁（８）の容器（１）の底領域（７）への移行領域（９）の壁厚を検出するように設計されている、ことを特徴とする装置。
【発明の詳細な説明】
【技術分野】
【０００１】
本発明は、容器の壁厚を検出するための方法及び装置に関する。これは、ＰＥＴ製のプラスチックボトルの壁厚等のボトルの壁厚に関する。
【０００２】
ボトルが適正に製造されたかどうかを確かめるためにボトルを試験するため、壁厚の決定を使用する。
【背景技術】
【０００３】
欧州特許第ＥＰ１  ３４８  ９３２  Ａ２号には、光ビームをボトルを通してボトルの軸線に対して垂直方向に透過させることによって、壁厚を放射線の計測された吸収に基づいて確認する方法及び装置が記載されている。これは、ボトルに沿った様々な高さで行われる。
【０００４】
ドイツ国特許第ＤＥ  １０１  １６  ６６５  Ａ１号には、吹込成形作業を制御するための方法が記載されている。この方法では、容器の壁厚を製造直後に検出し、次いでこれを理想的壁厚と比較し、その後、実際の壁厚と理想的壁厚との間の差をできるだけ小さくする。
【０００５】
この方法及び装置では、完成したボトルが、常に信頼性を以て検出されているわけではないということがわかっている。
【特許文献１】欧州特許第ＥＰ１  ３４８  ９３２  Ａ２号
【特許文献２】ドイツ国特許第ＤＥ  １０１  １６  ６６５  Ａ１号
【発明の開示】
【発明が解決しようとする課題】
【０００６】
本発明の目的は、容器の壁厚を検出するための方法及び装置を改良することである。
【課題を解決するための手段】
【０００７】
この目的は、請求項１に記載の方法、請求項１０に記載の方法、請求項１３に記載の装置、請求項１４に記載の装置によって達成される。好ましい実施例は、特許請求の範囲に特徴が記載してある。
【０００８】
従来技術から周知の方法は、滑らかな側壁領域の壁厚の確認に特に適している。これは、放射線が吸収される二つの位置で、側壁の厚さがほぼ等しいということを利用する。そうでない場合には、この方法を使用することはできない。
【０００９】
しかしながら共通の交差箇所を持つ二つの試験経路の構成により、交差箇所での吸収を他の試験経路での計測値によって決定できる。容器の壁厚が異なる領域を通過する試験経路について、共通の交差箇所の吸収寄与を考慮に入れることはできない。従って、壁厚が同じであると仮定できない位置を含む、容器の様々な位置での壁厚を確認できる。
【００１０】
壁厚は、ボトルの同じ高さではほぼ同じであることがわかっており、そのため、一つの試験経路は、ほぼ同じ高さにある二つの交差箇所を持ち、その結果、共通の交差箇所での壁厚を容易に確認できる。
【００１１】
更に、ボトルの下隅部／丸みのある領域において、壁厚は非常に薄く、この領域の試験を行うことは、欠陥のあるボトルの検出に特に適している。かくして、試験経路は、通常は、容器の側壁領域と底領域との移行領域に交差箇所を有する。
【００１２】
従って、比較的薄いこの領域での壁厚を決定するため、有利には、共通の交差箇所での壁厚を使用して移行領域の壁厚を計算することができる。これは、計算によって行うことができるが、原理的には、計測した吸収の差を計測することによって行うこともできる。
【００１３】
二つの試験経路は、様々な角度を形成してもよい。こうした角度の上限及び下限は、特許請求の範囲に記載してある。
【００１４】
４０°乃至５０°の角度、即ち約４５°の角度が特に適しているということがわかっている。
【００１５】
吸収が確認されている放射線として、隅部壁によって吸収される任意の種類の電磁放射線を使用してもよい。例えば、こうした電磁放射線には、赤外線、可視光、紫外線、テトラヘルツ放射線、Ｘ線、又はＸ線管から５ｋｅＶ以下で発生できる、Ｘ線についての許容必要条件の対象とならない低エネルギイオン化放射線が含まれる。壁厚を確かめるため、放射性放射線又は他の粒子線を使用してもよい。
【００１６】
粒子線及び電磁放射線、又は波長が異なる二種類の放射線等の二つの異なる種類の放射線を使用してもよい。従って、特に少なくとも方の波長での容器の材料による吸収が高い場合に計測精度を向上できる。
【００１７】
これによって確認された壁厚は、有利には、ドイツ国特許第ＤＥ１０１  １６  ６６５Ａ１号による容器製造工程の調節及び／又は制御に使用される。同特許に触れたことにより、この特許に開示された内容は本明細書中に含まれたものとする。
【００１８】
個々のボトルの壁厚について、これによって確認された値は、製造プロセスに含まれる吹込成形金型に、及びボトル用の半加工品を加熱ゾーンを通して輸送する保持マンドレルに間違いなく適用され、この適用は、制御ユニットによって、機械回転トランスジューサーと関連して行われ、個々の吹込成形金型のずれ及び／又は性能低下を検出でき、吹込成形圧力、延伸速度、又は半加工品の温度分布等の製造パラメータを個々に最適化できる。
【００１９】
適正に製造されなかった容器を特に確実に検出するため、この方法は、側壁領域が底領域へと移行する容器の領域の壁厚を検出する。壁厚が最も小さい領域、即ち特に重要な領域は、通常は、この移行領域にあるということがわかっている。
【００２０】
容器の壁厚を決定するための装置は、二つの試験経路を有する。これらの試験経路に沿った放射線の吸収を決定できる。これらの試験経路は、二つの交差箇所で容器位置と交差する。装置は、これらの試験経路が、少なくとも一つの共通の交差箇所を持つことを特徴とする。
【００２１】
本方法並びに本装置に関し、試験経路の交差箇所が正確に同じであることは絶対的必要条件ではないが、少なくとも、二つの交差箇所間の容器壁の厚さの変化が大きくない又は変化がないことが期待される程互いに近いのであれば十分である。
【００２２】
容器の壁厚を決定するための装置は、容器の側壁領域の、容器の底領域への移行領域の壁厚を決定できるように設計されている。これにより、適切に製造されなかったボトルを確実に検出できる。
【００２３】
本発明の好ましい実施例を添付図面に基づいて説明する。
【発明を実施するための最良の形態】
【００２４】
図１はボトル１を示す。ボトル１は、壁厚を試験できるボトル位置にある。ボトル１は、ＰＥＴによって吹込成形法で形成されている。
【００２５】
ボトル１は、側壁領域８及び底領域７を有する。底領域７と側壁領域８との間には移行領域９がある。これは、ボトル１の下側外縁の丸みのある縁部と対応する。
【００２６】
二つの放射線源１２、１３がボトル１と隣接して設置してある。放射線がビームスプリッター又は半透明なミラーによって二つの部分ビームに分割される場合には、二つの放射線源１２、１３の代りに、一つの放射線源だけを設けてもよい。様々なビーム経路の位置１２、１３を継続的にとる移動自在の放射線源もまた可能である。
【００２７】
更に、放射線源１２、１３が放射した放射線を検出できるように、２つの検出器１０、１１がボトル１と隣接して、又はボトル１の下に配置されている。検出器１０及び放射線源１３が第１試験経路２を形成し、検出器１１及び放射線源１２が第２試験経路３を形成する。
【００２８】
交差箇所４、５、６での吸収は、放射線の減衰による交差箇所４、５、６での放射線の吸収から導き出すことができる。
【００２９】
交差箇所４及び６は、ボトル１のほぼ同じ高さにある。経験によれば、この箇所での壁厚はほぼ同じである。壁厚が同じであると仮定すると、交差箇所６でのボトル１の壁厚は、試験経路２によって決定できる。
【００３０】
試験経路３の場合には、交差箇所６での吸収を計算から差し引くことができるため、交差箇所５の領域の壁厚を決定できる。これを行うため、試験経路が側壁の場合と比較して斜めであるため、交差箇所６の領域での試験経路３の距離が長いことを計算に入れ、交差箇所６のところで容器の壁に入りそしてここから出る夫々の界面での反射による損失を考慮する。他の交差箇所４、５について、夫々の界面での反射による損失もまた考慮に入れる。
【００３１】
上述の計測構成により、更に、交差箇所４の領域での壁厚を高精度で決定できる。これを行うため、交差箇所５での吸収が、交差箇所６での吸収と比較して無視できるものと仮定する。これは、この箇所での壁厚が非常に薄く、容器壁を通る通路が、随意であるが、本質的に直角であるためである。従って、交差箇所６の領域で吸収を決定でき、次いで試験経路２に沿った計測の結果により、交差箇所４の領域での吸収を決定できる。
【００３２】
図２ａは、ボトル１を下から見た図を示す。この図に底領域７が示してある。様々な花弁状脚部１４が底領域７に設けられている。これらの脚部は外方膨出部によって形成されており、ボトルを倒れないように立てることができる。図２ｂは、底領域７、側壁８及び移行領域９の斜視図である。
【００３３】
ＰＥＴ材料が吹込成形で延伸され、特に花弁状脚部の領域で吹込成形金型の凹所と対応するため、壁厚が全体に非常に薄い。従って、領域９での試験経路３のボトル１との交差箇所５は、好ましくは、このような花弁状脚部１４の領域にある。これを図２ａ及び図２ｂに概略に示す。試験経路３の点線で示す部分は、容器１のキャビティ内を通る試験経路３の部分を示すのに対し、破線は、容器１の外側の試験経路３の部分を示す。
【図面の簡単な説明】
【００３４】
【図１】図１は、ボトルの計測構成の概略断面図である。
【図２】図２ａは、ボトル及び試験経路の斜視図である。
【００３５】
図２ｂは、ボトル及び試験経路の斜視図である。
【符号の説明】
【００３６】
１  ボトル
２  第１試験経路
３  第２試験経路
４、５、６  交差箇所
７  底領域
８  側壁領域
９  移行領域
１０、１１  検出器
１２、１３  放射線源
【図１】
2009503522.tif 000003
【図２ａ】
2009503522.tif 000004
【図２ｂ】
2009503522.tif 000005
【国際調査報告】
2009503522.tif 000006
2009503522.tif 000007
2009503522.tif 000008
2009503522.tif 000009
2009503522.tif 000010
2009503522.tif 000011